(57)【要約】【課題】従来、固定ミル筒体や回転ミル筒体と、雌刃や雄刃は、硬質のプラスチックにより一体成型加工して製作されていたため、筒体そのものが雌刃や雄刃と同じ硬度を持ち、キャップ等を一体成形で設けるようなことは考えられなかった。【解決手段】容器本体１の首部２に装着した固定ミル筒体３に雌刃４を設け、前記固定ミル筒体３に回転自在に設けた回転ミル筒体５に雄刃６を設け、前記容器本体１に収容された粒体を回転する前記雄刃６と前記雌刃４により粉砕して取り出すようにしたミル付容器において、前記回転ミル筒体３にキャップ体７をヒンジ連結により一体に設けたミル付容器。【選択図】　　　　　　図１
2004073533.tif 000002
【特許請求の範囲】
【請求項１】
容器本体の首部に装着した固定ミル筒体に雌刃を設け、前記固定ミル筒体に回転自在に設けた回転ミル筒体に雄刃を設け、前記容器本体に収容された粒体を回転する前記雄刃と前記雌刃により粉砕して取り出すようにしたミル付容器において、前記回転ミル筒体にキャップ体をヒンジ連結により一体に設けたミル付容器。
【請求項２】
請求項１に記載のミル付容器において、前記回転ミル筒体と前記キャップ体を軟質の合成樹脂により一体成形してなるミル付容器。
【請求項３】
請求項１又は２に記載のミル付容器において、前記ヒンジ連結部に、開閉位置決めバネを一体に設けたミル付容器。
【請求項４】
請求項１乃至３のいずれかに記載のミル付容器において、前記回転ミル筒体の粉砕粒体放出口を有する天板部に、硬質の材料により別個に成形した雄刃を一体に固定して設けたミル付容器。
【請求項５】
請求項４に記載のミル付容器において、前記雄刃側と前記回転ミル筒体の天板部側のいずれか一方に回り止め用溝部を設けると共に、他方に回り止め用突起部を設け、前記回り止め用溝部と前記回り止め用突起部を嵌合して前記雄刃を前記回転ミル筒体の天板部に固定したミル付容器。
【発明の詳細な説明】
【０００１】
【発明の属する技術分野】
本発明は、容器本体に収容された粒体を粉砕して取り出すようにしたミル付容器に関する。
【０００２】
【従来の技術】
従来、容器本体の首部に装着した固定ミル筒体に一体成形により雌刃を設けると共に、前記固定ミル筒体に回転自在に設けた回転ミル筒体に一体成形により雄刃を設け、前記容器本体に収容された粒体を回転する前記雄刃と前記雌刃により粉砕して取り出すようにしたミル付容器は知られている。
【０００３】
【発明が解決しようとする課題】
従来、固定ミル筒体や回転ミル筒体と、雌刃や雄刃は、硬質のプラスチックにより一体成型加工して製作されていたため、筒体そのものが雌刃や雄刃と同じ硬度を持ち、キャップ等を一体成形で設けるようなことは考えられなかった。
そのため、従来のミル付容器は、粉砕した粒体を取り出す放出口にキャップが設けられていないため、保管中に容器本体に収容された粒体が湿気を帯び易く、また、香辛料等の内容物を好む害虫が放出口から容器本体内に入り込む恐れがあった。
また、ミル付容器の放出口に別体に軟質のキャップを設けた場合には、キャップを放出口から外してミル付容器を使用する時に紛失したり、装着し忘れたりしてキャップの着脱が面倒なばかりでなく、前記同様に容器本体に収容された粒体が湿気を帯びたり、香辛料等の内容物を好む害虫が放出口から容器本体内に入り込んだりするという課題があった。
【０００４】
【課題を解決するための手段】
そこで、本発明は、上記課題を解決するために、容器本体の首部に装着した固定ミル筒体に雌刃を設け、前記固定ミル筒体に回転自在に設けた回転ミル筒体に雄刃を設け、前記容器本体に収容された粒体を回転する前記雄刃と前記雌刃により粉砕して取り出すようにしたミル付容器において、前記回転ミル筒体にキャップ体をヒンジ連結により一体に設けたミル付容器を提供するものである。
本発明によれば、ヒンジ連結によりキャップ体を回転ミル筒体に一体に設けることにより、キャップ体をワンタッチで簡単に開閉して使用できるのみならず、キャップ体を紛失するようなことは全くないから、不使用時には確実に閉蓋して、容器本体に収容された粒体が湿気を帯びることや容器内への害虫の侵入を防止することができる。
【０００５】
また、本発明は、請求項１に記載のミル付容器において、前記回転ミル筒体と前記キャップ体を軟質の合成樹脂により一体成形してなるミル付容器を提供するものである。
本発明によれば、軟質の合成樹脂により一体成形によって回転ミル筒体とキャップ体をヒンジ連結部を含めて簡単に確実に成形することができると共に、合成樹脂ヒンジによりキャップ体を軽い操作力でワンタッチで開閉することができる。
【０００６】
また、本発明は、請求項１又は２に記載のミル付容器において、前記ヒンジ連結部に、開閉位置決めバネを一体に設けたミル付容器を提供するものである。
本発明によれば、開閉位置決めバネの弾性力によってキャップ体を開放位置又は閉蓋位置に位置決めすることができるから、使用時にはキャップ体の開放状態を保つことができると共に、保管時にはキャップ体の閉蓋状態を確実に保つことができる。
【０００７】
また、本発明は、請求項１乃至３のいずれかに記載のミル付容器において、前記回転ミル筒体の粉砕粒体放出口を有する天板部に、硬質の材料により別個に成形した雄刃を一体に固定して設けたミル付容器を提供するものである。
本発明によれば、ヒンジ連結部を有する回転ミル筒体とは別個に雄刃を適宜な硬度の材料により形成することができる。
【０００８】
また、本発明は、請求項４に記載のミル付容器において、前記雄刃側と前記回転ミル筒体の天板部側のいずれか一方に回り止め用溝部を設けると共に、他方に回り止め用突起部を設け、前記回り止め用溝部と前記回り止め用突起部を嵌合して前記雄刃を前記回転ミル筒体の天板部に固定したミル付容器を提供するものである。
本発明によれば、前記回り止め用溝部と前記回り止め用突起部を嵌合したから、回転ミル筒体と雄刃を確実に一体化することができる。
【０００９】
【発明の実施の形態】
本発明の実施の形態を図示する実施例に基づいて説明する。
図１に示す実施例において、本発明に係るミル付容器は、容器本体１の首部２に装着した固定ミル筒体３に一体に雌刃４を設け、前記固定ミル筒体３に回転自在に設けた回転ミル筒体５に個別に成形した雄刃６を設け、容器本体１を逆さにして回転ミル筒体５を一方の手で固定的に把持し、容器本体１及び固定ミル筒体３を回転させることによって、前記容器本体１に収容された粒体を前記雄刃６に対して回転する前記雌刃４により粉砕して取り出すように構成してあり、前記回転ミル筒体５にはキャップ体７をヒンジ連結により一体に設けてある。
【００１０】
図示の実施例において、容器本体１は、木、ガラス又は合成樹脂等からなり、コショウ、香辛料や岩塩等の粒体を収容してある。また、容器首部２に設けた容器側ねじ部１０に、固定ミル筒体３を一体にねじ込み装着することができるようにしてある。１３は、固定ミル筒体３の下部に設けた筒体側ねじ部である。
図１又は図２において、１１はアルミシールで、容器本体１の開口部１２を密封するように熱溶着してあり、使用時に開口部１２から剥がし、開口部１２を下に向けて容器本体１に収容された粒体を固定ミル筒体３に送り出すことができるように構成してある。
【００１１】
図示の実施例において、固定ミル筒体３は、円筒状に成形してあり、ポリアセタール（ＰＯＭ）又はポリカーボネート（ＰＣ）等の硬質の合成樹脂からなり、固定ミル筒体３の上部内側には、円周状に雌刃４を一体に成形してある。雌刃４は、下部側のピッチを大きくし、上部側のピッチを小さく設け、比較的粒の大きい粒体も細かく粉砕することができるように構成してある。
【００１２】
なお、岩塩等の硬質な粒体を粉砕するために、セラミックス製や金属製の雌刃４をインサート成形等により固定ミル筒体３に一体成形することも勿論可能である。
また、固定ミル筒体３の下部の外周には、円周状に段部１４を設けてあると共に、嵌合凹部１５を設けてあり、回転ミル筒体５を回転自在に同心的に重ねて嵌合することができるように構成してある。
【００１３】
図示の実施例において、回転ミル筒体５は、キャップ体７とヒンジ連結部８と開閉位置決めバネ９と共に、ポリプロピレン（ＰＰ）やポリエチレン（ＰＥ）等の軟質の合成樹脂により一体成形してある。回転ミル筒体５のスカート部内側には、円周状に嵌合凸部１６を設けてあり、前記固定ミル筒体３の嵌合凹部１５に回転自在に嵌合するように構成してある。
また、回転ミル筒体５には天板部１７を設けてあり、該天板部１７の外周には下方に開口するコ字状の環状溝２３を設けてあり、固定ミル筒体３の上端に設けた環状レール２４に環状溝２３が回転自在に嵌合し、固定ミル筒体３と回転ミル筒体５とが相互にスムースに回転することができるように構成してある。
【００１４】
また、回転ミル筒体５の天板部１７には、雄刃６を固定し軸支する支持軸１８と、雄刃６を更に一体に固定するための回り止め用突起部１９を設けてあり、支持軸１８を雄刃６に設けた支持穴２１に嵌入すると共に、回り止め用突起部１９を雄刃６に設けた回り止め用溝部２２に嵌合して、雄刃６を一体的に固設してある。
また、天板部１７には、雄刃６の外周に位置して粉砕粒体放出口２０を設けてある。
【００１５】
雄刃６は、雌刃４と同様のポリアセタール（ＰＯＭ）又はポリカーボネート（ＰＣ）等の硬質の合成樹脂からなり、円錐状をなし、雌刃４に相対して側面に粗密の２段の刃部を設けてある。
なお、岩塩等の硬質の粒体を粉砕するためには、雌刃６はより硬質のセラミックス製や金属製であっても勿論よく、また、雌刃４と必ずしも同一材料でなくてもよいことは勿論である。
【００１６】
また、図３乃至図５の実施例において、キャップ体７は、２ヶ所のヒンジ連結部８を介して回転ミル筒体５に一体に連結してあり、前記ヒンジ連結部８の中央に、くの字型の開閉位置決めバネ９を一体に設けてある。
くの字型の開閉位置決めバネ９は、折曲方向に強力な弾発力を附与されており、図４に示す開放位置、又は、図５に示す閉蓋位置にキャップ体７を弾発して位置決めすることができるように構成してある。
【００１７】
また、キャップ体７には、ヒンジ連結部８の反対側に鍔部２５を設けると共に、回転ミル筒体５の上部側面に切欠部２６を設けてあり、図５に示すように、キャップ体７を閉じた状態で開閉位置決めバネ９の弾発力に抗して鍔部２５を上方に押し上げることにより、キャップ体７を容易に開くことができるように構成してある。
【００１８】
なお、キャップ体７の開閉位置決め構造は、図示の実施例に限らず、ヒンジ連結部８を中心に開放方向に付勢したバネ力によりキャップ７を開放させるように設けると共に、キャップ７の閉蓋時に前記鍔部２５と切欠部２６に係合部を設けて密封状態を維持するようにしておき、キャップ７の開放時には、係合状態を解除するように構成することも可能である。
【００１９】
【発明の効果】
以上の通り、本発明に係るミル付容器によれば、容器本体の首部に装着した固定ミル筒体に雌刃を設け、前記固定ミル筒体に回転自在に設けた回転ミル筒体に雄刃を設け、前記容器本体に収容された粒体を回転する前記雄刃と前記雌刃により粉砕して取り出すようにしたミル付容器において、前記回転ミル筒体にキャップ体をヒンジ連結により一体に設けた構成を有することにより、ミル付容器にキャップ体をワンタッチで簡単に開閉して使用できるように装着することができるのみならず、キャップ体を紛失するようなことは全くないから、不使用時には確実に閉蓋して、容器本体に収容された粒体が湿気を帯びることや容器内への害虫の侵入を防止することができる効果がある。
【００２０】
また、本発明は、請求項１に記載のミル付容器において、前記回転ミル筒体と前記キャップ体を軟質の合成樹脂により一体成形してなる構成を有することにより、軟質の合成樹脂により一体成形によって回転ミル筒体とキャップ体をヒンジ連結部を含めて簡単に確実に成形することができると共に、合成樹脂ヒンジによりキャップ体を軽い操作力でワンタッチで開閉することができる効果がある。
【００２１】
また、本発明は、請求項１又は２に記載のミル付容器において、前記ヒンジ連結部に、開閉位置決めバネを一体に設けた構成を有することにより、開閉位置決めバネの弾性力によってキャップ体を開放位置又は閉蓋位置に位置決めすることができるから、使用時にはキャップ体の開放状態を保つことができると共に、保管時にはキャップ体の閉蓋状態を確実に保つことができる効果がある。
【００２２】
また、本発明は、請求項１乃至３のいずれかに記載のミル付容器において、前記回転ミル筒体の粉砕粒体放出口を有する天板部に、硬質の材質により別個に成形した雄刃を一体に固定して設ける構成を有することにより、ヒンジ連結部を有する軟質の回転ミル筒体とは別個に適宜な硬度の材料による雄刃を設けることができる効果がある。
【００２３】
また、本発明は、請求項４に記載のミル付容器において、前記雄刃側と前記回転ミル筒体の天板部側のいずれか一方に回り止め用溝部を設けると共に、他方に回り止め用突起部を設け、前記回り止め用溝部と前記回り止め用突起部を嵌合して前記雄刃を前記回転ミル筒体の天板部に固定した構成を有することにより、回転ミル筒体と雄刃を確実に一体化することができる効果がある。
【図面の簡単な説明】
【図１】本発明ミル付容器の一実施例を示す斜視図
【図２】その一実施例を示す分解斜視図
【図３】その一実施例の要部を示す平面図
【図４】その一実施例の要部を示す正面図
【図５】その一実施例の要部を示す正面図
【符号の説明】
１　容器本体
２　容器首部
３　固定ミル筒体
４　雌刃
５　回転ミル筒体
６　雄刃
７　キャップ体
８　ヒンジ連結部
９　バネ
１０　容器側ねじ部
１１　アルミシール
１２　開口部
１３　筒体側ねじ部
１４　段部
１５　嵌合凹部
１６　嵌合凸部
１７　天板部
１８　支持軸
１９　突起部
２０　粉砕粒体放出口
２１　支持穴
２２　溝部
２３　環状溝
２４　環状レール
２５　鍔部
２６　切欠部
【図１】
2004073533.tif 000003
【図２】
2004073533.tif 000004
【図３】
2004073533.tif 000005
【図４】
2004073533.tif 000006
【図５】
2004073533.tif 000007